(57)【特許請求の範囲】
【請求項１】
マンガンの５０モル％より多くが３価の酸化状態で存在するマンガン（ＩＩＩ）を含有する水酸化ニッケル（ＩＩ）粉末を製造するためのアルカリ液を用いるニッケル（ＩＩ）およびマンガン塩溶液の共沈を含んでなる方法において、２価の状態で存在するニッケルおよびマンガン塩溶液を共沈させそして共沈澱中に含有されるマンガンを酸素、空気および過酸化水素よりなる群から選択される酸化剤との反応により３価の酸化段階に転化させることを特徴とする方法。
【請求項２】
共沈をＺｎ、Ｃｄ、Ｃａ、Ｍｇ、Ｃｏ、Ａｌ、Ｆｅ、Ｃｒ、Ｇａ、Ｉｎおよび希土類元素よりなる群から選択される可溶性塩の存在下で実施することを特徴とする、請求項１に従う方法。
【発明の詳細な説明】
【０００１】
本発明は、アルカリ液を用いるニッケル（II）およびマンガン塩溶液の共沈によりマンガンの５０モル％より多くが３価の酸化状態で存在するマンガン（III）を含有する水酸化ニッケル（II）粉末を製造するための方法に関する。
【０００２】
【発明の背景】
水酸化ニッケル中へのマンガンイオンの加入はPower Sources 1966, Pergamon Press, 239ff頁に記載されている。マンガン（II）イオンの投与がβ−Ｎｉ(ＯＨ)2構造を有する生成物をもたらし、そして過酸化水素を用いる酸化が非晶質マンガン（IV）生成物をもたらす。いずれの生成物も、該イオンが投与されない水酸化ニッケルと比べて、電気化学性質における改良を示さない。
【０００３】
比較的以前に公告されたドイツ特許出願Ｐ ４３ ２３ ００７.５には、水酸化ニッケル中の３価マンガンの加入が著しく改良されたサイクル安定性をもたらし、その結果として同時にニッケルを節約しながら一電子段階の利用増加をもたらすことが示されている。この生成物はＭｎ（III）およびＮｉ（II）イオンを含有する溶液とアルカリ液との反応により製造することができる。この方法の欠点は大量の例えばＨ3ＰＯ4またはＨ2ＳＯ4の如き鉱酸の使用を必要とすることであり、それらのアニオンは塩溶液中で３価マンガンを安定化させるために必要である。これらのアニオンまたは他の適するアニオンは不均化によるＭｎ（III）の早期分解を防止する。さらに、該方法は排水を介して除去しなければならない化学量論的量より多い中性塩の生成に関連して大量のアルカリ液を必要とする。
【０００４】
本発明の目的はＭｎ（III）を含有する水酸化ニッケルを製造するためのの環境的に許容可能な方法を提供することである。
【０００５】
アルカリ性溶液からのＮｉ（II）およびＭｎ（II）塩の沈澱およびその後のマンガンの選択的酸化が驚くべきことにパイロオーライト構造を有するＭｎ（III）を含有する水酸化ニッケルをもたらすことを今回見いだした。Ｍｎ（III）イオンから４価マンガンへのそれ以上の酸化およびパイロオーライト構造の崩壊を防止するためには、この工程中の沈澱および酸化に関する条件を注意深く順守すべきである。
【０００６】
本発明は従って、マンガンの５０モル％より多くが３価の酸化状態で存在するマンガン（III）を含有する水酸化ニッケル（II）粉末を製造するためのアルカリ液を用いるニッケル（II）およびマンガン塩溶液の共沈を含んでなる方法に関し、ここで２価の状態で存在するニッケルおよびマンガン塩溶液を共沈させそして共沈澱中に含有されるマンガンを適当な酸化剤との反応により３価の酸化段階に転化させる。
【０００７】
適当な酸化剤を加えることにより酸化を連続的にまたはバッチ式に行うことができる。本発明の範囲内の好適な酸化剤は酸素、空気および／または過酸化水素である。該酸化剤は、とりわけ、それらが他のアニオンを反応媒体中にもたらさないという利点を有する。しかしながら、ペルオキソ二硫酸塩、塩素または臭素も有利に使用することができる。
【０００８】
共沈澱への添加の前に酸化剤とニッケル（II）イオンおよびマンガン（II）イオンを含有する塩溶液との組み合わせを有利に行うこともでき、ここでは塩溶液中のｐＨ値を順守することによりマンガン（II）イオンの酸化がこの段階で確実にすでに起きないようにすることが重要である。
【０００９】
第一段階でＮｉ（II）およびＭｎ（II）を含有する混合水酸化物を酸化剤の不存在下で沈澱させそしてこの一次沈澱生成物を次に第二段階で酸化して酸化製法への移行によりＭｎ（III）を含有する水酸化ニッケルにする多段階工程を行うこともできる。
【００１０】
本発明の方法の有利な変法に従うと、酸化はアルカリ性媒体中で行われ、マンガンの少なくとも８０モル％、好適には少なくとも９０モル％が３価の酸化状態に転化される。
【００１１】
Ｎｉ（II）およびＭｎ（II）イオンを含有する塩溶液を対応する塩、好適には硫酸塩、燐酸塩、塩化物および／または硝酸塩の溶解により有利に製造することができる。
【００１２】
ＮａＯＨおよび／またはＫＯＨをアルカリ液として使用することができ、さらに加えられたアンモニアの存在下で球形生成物が得られる。
【００１３】
ドイツ特許出願Ｐ ４３ ２３ ００７.５に開示されている方法と比較して、本発明に従う方法では塩の充填量を１／３に減少することができる。２価の状態で存在するニッケルおよびマンガン塩溶液を金属ニッケルおよび／またはマンガンの陽極溶出により製造するなら、それ以上の減少も可能である。
【００１４】
工程技術に関して好ましい本発明の方法の一態様に従うと、２価の状態で存在するニッケルおよびマンガン塩溶液は金属ニッケルの陽極溶出およびマンガン
（II）塩の溶解により製造される。
【００１５】
一部の電池製造用の水酸化ニッケルの場合に要求されるように本発明に従い製造されるＭｎ（III）を含有する水酸化ニッケルが投与元素を含有しようとするなら、本発明に従う方法を好適には亜鉛、カドミウム、カルシウム、マグネシウム、コバルト、アルミニウム、鉄、クロム、ガリウム、インジウム塩および／または希土類元素の塩の存在下で実施することができる。
【００１６】
本発明に従う方法の特に有利な面は、塩溶液中で不安定な中間的状態が起きないことである。塩溶液の濃度は従って非常に高い水準に調節することができ、それによって高い生産量が可能になる。さらに、該方法は安定化用アニオンを必要としない。これにより、使用されるアニオンの自由な選択が可能となり、その結果として最終生成物の電気化学的性質を左右することができる。
【００１７】
本発明に従い得られるマンガン（III）を含有する水酸化ニッケル粉末は二次電池中の電極材料として非常に適する。本発明は従って該使用、すなわちそのような使用方法並びにそのような粉末から製造される電極およびそのような電極を含む電池にも関する。
【００１８】
本発明を下記の実施例を基にして以下でさらに説明する。
【００１９】
【実施例】
全般的な反応式（Ｉ）：
【００２０】
【数１】
0003895791.tif 000002
【００２１】
により支配される二工程反応において下記の溶液ＡおよびＢを使用した。
【００２２】
溶液Ａ：１２５ｇのＮｉ/ｌを有する７５１mlのＮｉＣｌ2水溶液(１.６モル)
５０ｇのＭｎＣｌ2                                 (０.４モル)
１０.８mlの濃Ｈ3ＰＯ4                             (０.１３モル)
溶液Ｂ：１５０ｇのＮａＯＨ/ｌを有するＮａＯＨ水溶液
試験の記述：
（１）１.５リットルの充填量の水を３５℃の温度に恒温化された５リットルガラスビーカーの中に入れそして溶液Ｂの助けによって１２−１２.５のｐＨに調節した。溶液Ａを次にホースポンプによりアルカリ性充填物にゆっくり（毎秒１滴）滴々添加した。ｐＨをガラス電極により試験の最初から終わりまで監視しそして必要に応じて溶液Ｂの電子的に調節された添加により１２−１２.５のｐＨに一定に保った。このようにして褐色がかった緑色の懸濁液が生成し、それは
Ｎｉ、Ｍｎの共沈を示していた。
【００２３】
（２）プロペラスタラー（毎分３５０回転）を用いて撹拌することにより渦巻きを生成しそしてこの方法で大気酸素を褐色がかった緑色の懸濁液の中に加えた。溶液Ａの全量を滴々添加した後に、生じた褐色がかった沈澱を研究室用吸引フィルターにより濾過しそして中性塩がなくなるまで６０℃の温度の水で洗浄した。まだ湿ったままの生成物を引き続き真空乾燥容器の中で７０℃において２４時間乾燥しそして乳鉢を用いて粉砕して粉末を生成した。粉末を化学的およびＸ線回折分析にかけた。
【００２４】
分析：
含有物    実測値        理論値
Ｎｉ      ４３.５３％   ４７.８％
Ｍｎ      ９.５８％     １１.２％
Ｘ線回折分析はパイロオーライトスペクトルを示した。
【００２５】
以上の実施例に従うかまたは本発明の範囲内の他の方法で製造される粉末はそれ自体は既知である種々の粉末冶金手段により主電荷蓄電／放電電極に形成することができる。そのような電極の形状は板、棒、線および網であることができる。そのような電極は１つもしくはそれ以上の逆電極、電解質および二次電池操動作（すなわち水酸化ニッケル主電極の充電／放電サイクル）のための外部回路との連結用の端子を有する電池ケースの中に加えられる。前記の如く、水酸化ニッケルのマンガンドロップアウトの高い３価割合の存在によりサイクル安定性が増す。
【００２６】
本発明の主なる特徴および態様は以下のとおりである。
【００２７】
１．マンガンの５０モル％より多くが３価の酸化状態で存在するマンガン（III）を含有する水酸化ニッケル（II）粉末を製造するためのアルカリ液を用いるニッケル（II）およびマンガン塩溶液の共沈を含んでなる方法において、２価の状態で存在するニッケルおよびマンガン塩溶液を共沈させそして共沈澱中に含有されるマンガンを適当な酸化剤との反応により３価の酸化段階に転化させることを特徴とする方法。
【００２８】
２．酸化剤が酸素、空気および過酸化水素よりなる群から選択されることを特徴とする、上記１に従う方法。
【００２９】
３．酸化剤がペルオキソ二硫酸塩類、塩素および臭素よりなる群から選択されることを特徴とする、上記１に従う方法。
【００３０】
４．酸化がアルカリ性媒体中で行われ、マンガンの少なくとも８０モル％が３価の酸化状態に転化される、上記４に従う方法。
【００３１】
５．マンガンの少なくとも９０モル％が３価の酸化状態に転化される、上記４に従う方法。
【００３２】
６．２価の状態で存在するニッケルおよびマンガン塩溶液が塩化物、硫酸塩、硝酸塩および燐酸塩よりなる群から選択されるニッケル（II）およびマンガン（II）の化合物の溶解により製造されることを特徴とする、上記１、４または５のいずれかに従う方法。
【００３３】
７．２価の状態で存在するニッケルおよびマンガン塩溶液の少なくとも１つがそれらの各々の金属形態の陽極溶出により製造されることを特徴とする、上記１、４または５のいずれかに従う方法。
【００３４】
８．２価の状態で存在するニッケルおよびマンガン塩溶液が金属ニッケルの陽極溶出およびマンガン（II）塩の溶解により製造されることを特徴とする、上記１、４または５のいずれかに従う方法。
【００３５】
９．共沈をＺｎ、Ｃｄ、Ｃａ、Ｍｇ、Ｃｏ、Ａｌ、Ｆｅ、Ｃｒ、Ｇａ、Ｉｎおよび希土類元素よりなる群から選択される可溶性塩の存在下で実施することを特徴とする、上記１、４または５のいずれかに従う方法。
【００３６】
１０．２価の状態で存在するニッケルおよびマンガン塩溶液の少なくとも１つがそれらの各々の金属形態の陽極溶出により製造されることを特徴とする、上記９に従う方法。
【００３７】
１１．２価の状態で存在するニッケルおよびマンガン塩溶液が金属ニッケルの陽極溶出およびマンガン（II）塩の溶解により製造されることを特徴とする、上記９に従う方法。
【００３８】
１２．上記１、４または５のいずれかに従う方法により製造される粉末。
【００３９】
１３．上記１２の粉末を含んでなる、電池電極。
【００４０】
１４．電極の充電−放電サイクル用に構成されそして配置されている、上記１３の電極、逆−電極および電解質を含んでなる電池。
【００４１】
１５．二次電池中の電極材料としての上記１、４または５のいずれかに従う方法により製造される粉末の使用方法。